(57)【要約】【課題】マルチ画像ファイル内の副画像データを可能な限り復元し得るように画像ファイルを作成する画像ファイル作成装置等を提供する。【解決手段】主画像データを生成する元となったＲＡＷデータから１以上の副画像データを生成可能であるか否かをこれら副画像データが生成された条件である副画像生成条件に基づいて判別する画像データ判別部３と、この画像データ判別部３により生成可能であると判別された場合に、１以上の副画像データと主画像データとを含む１つのマルチ画像ファイルを作成するとともに、このマルチ画像ファイルに関連付けてＲＡＷデータを含むＲＡＷファイルを作成する画像ファイル作成部２と、を備えた画像ファイル作成装置１。【選択図】図１
2009164768.tif 000002
【特許請求の範囲】
【請求項１】
１つのＲＡＷデータに基づいて生成された主画像データと、この主画像データと関連する１以上の副画像データと、を含むマルチ画像ファイルを作成し得る画像ファイル作成装置であって、
上記１以上の副画像データを上記ＲＡＷデータから生成可能であるか否かを該副画像データが生成された条件である副画像生成条件に基づいて判別する画像データ判別部と、
上記画像データ判別部により生成可能であると判別された場合に、上記１以上の副画像データと上記主画像データとを含む１つのマルチ画像ファイルを作成するとともに、該１つのマルチ画像ファイルに関連付けて上記ＲＡＷデータを含むＲＡＷファイルを作成する画像ファイル作成部と、
を具備したことを特徴とする画像ファイル作成装置。
【請求項２】
上記画像ファイル作成部は、上記ＲＡＷデータから上記１以上の副画像データを復元するために必要な情報を含むように、上記マルチ画像ファイルを作成するものであることを特徴とする請求項１に記載の画像ファイル作成装置。
【請求項３】
上記マルチ画像ファイルに含まれる副画像データの少なくとも一部が損なわれているか否かを判別する修復判別部と、
上記修復判別部により副画像データの少なくとも一部が損なわれていると判別された場合に、上記副画像データを復元するために必要な情報に基づいて、上記マルチ画像ファイルと関連付けられた上記ＲＡＷファイルに含まれる上記ＲＡＷデータから上記損なわれた副画像データを生成する画像データ修復部と、
をさらに具備し、
上記画像ファイル作成部は、画像データ修復部により生成された副画像データを用いて、上記マルチ画像ファイルを再度作成するものであることを特徴とする請求項２に記載の画像ファイル作成装置。
【請求項４】
上記画像データ判別部は、上記副画像生成条件が、所定の画像処理におけるパラメータのみを異ならせて上記ＲＡＷデータから上記１以上の副画像データを生成する条件であるときに、上記１以上の副画像データを上記ＲＡＷデータから生成可能であると判別するものであることを特徴とする請求項１に記載の画像ファイル作成装置。
【請求項５】
１つのＲＡＷデータに基づいて生成された主画像データと、この主画像データと関連する１以上の副画像データと、を含むマルチ画像ファイルを作成するための画像ファイル作成方法であって、
上記１以上の副画像データを上記ＲＡＷデータから生成可能であるか否かを該副画像データが生成された条件である副画像生成条件に基づいて判別し、
生成可能であると判別した場合に、上記１以上の副画像データと上記主画像データとを含む１つのマルチ画像ファイルを作成し、
上記１つのマルチ画像ファイルに関連付けて上記ＲＡＷデータを含むＲＡＷファイルを作成する、
画像ファイル作成方法。
【請求項６】
請求項２に記載の画像ファイル作成装置によって作成されたマルチ画像ファイルを、該画像ファイル作成装置によって該マルチ画像ファイルと関連付けて作成されたＲＡＷファイルに基づき修復するための画像データ修復装置であって、
上記マルチ画像ファイルに含まれる副画像データの少なくとも一部が損なわれているか否かを判別する修復判別部と、
上記修復判別部により副画像データの少なくとも一部が損なわれていると判別された場合に、上記副画像データを復元するために必要な情報に基づいて、上記マルチ画像ファイルと関連付けられた上記ＲＡＷファイルに含まれる上記ＲＡＷデータから上記損なわれた副画像データを生成する画像データ修復部と、
上記画像データ修復部により生成された副画像データを用いて、上記マルチ画像ファイルを再度作成する画像ファイル作成部と、
を具備したことを特徴とする画像ファイル修復装置。
【発明の詳細な説明】
【技術分野】
【０００１】
本発明は、主画像データと副画像データとを含むマルチ画像ファイルを作成し得る画像ファイル作成装置、画像ファイル作成方法、およびマルチ画像ファイルを修復するための画像ファイル修復装置に関する。
【背景技術】
【０００２】
現在のデジタルカメラ等の機器や静止画像の画像編集を行うアプリケーションソフトなどは、１つのファイルに１つの静止画像データのみが含まれているファイルフォーマットのものを扱うことが通常であるために、１つのファイルに複数の画像データが存在することを考慮していないものが多い。デジタルカメラ等において広く採用されている画像ファイルフォーマットの１つであるＥｘｉｆ規格においても、一覧表示用縮小画像（サムネイル画像）を除いて、１つのファイルに１つの画像データのみが含まれる規定となっている。
【０００３】
これに対して、主たる画像（主画像）の画像データ（主画像データ）と、この主画像と関連する副画像の画像データ（副画像データ）とを、１つの画像ファイル（以下では適宜、マルチ画像ファイルという）として作成し、記録媒体などに記録する技術が提案されている。
【０００４】
例えば特開２００５−２５２７５４号公報には、複数のＪＰＥＧ画像を１つのマルチ画像ファイルにまとめてファイル数の増加を防ぎ、さらに、マルチ画像ファイルの先頭に主画像（ファイルにまとめられた複数の画像の中で主となる（代表する）１つの画像）をＥｘｉｆ規格に準拠したフォーマットで格納し、かつファイル自体の拡張子を「JPG」とする技術が記載されている。
【０００５】
複数のＪＰＥＧデータを格納するための画像ファイルとして、このような、拡張子が「JPG」でかつファイル先頭から主画像の終端までは既存のＪＰＥＧフォーマットと同一構造をなす構成を採用することにより、ＪＰＧファイルを扱う既存の画像処理装置やアプリケーションと互換性を保持することができる。そして、互いに関連性を有する画像群、例えば適正露出を含む幾つかの異なる露出レベルで同一シーンを撮影して得られた複数の画像群を１つのマルチ画像ファイルとして記録することが可能となるために、ファイル数を少なくすることができ、ファイル管理が容易になり、画像群の閲覧、複製、転送、保存などの際にユーザの利便性を増すことが可能となる利点がある。
【０００６】
ところで、現在製品化されているデジタルカメラ等の撮像装置は、静止画像の記録フォーマットとして、上述したような、ＪＰＥＧデータを含みＥｘｉｆ規格に準拠したＪＰＧファイルが標準的に用いられている。さらに、各種製品化されている撮像装置の中には、このＪＰＧファイルに加えて、撮像素子により撮像して得られた画像をデジタル信号に変換したままのＲＡＷ画像もＲＡＷファイルとして保存することができるように構成されたものがある。こうしたタイプの撮像装置では、ＪＰＧファイルのみを保存する記録モード、ＲＡＷファイルのみを保存する記録モード、ＪＰＧファイルおよびＲＡＷファイルの両方を保存する記録モードなどを所望に選択することができるように構成されている場合が多い。
【０００７】
ここで、ＪＰＧファイルおよびＲＡＷファイルの両方を保存する記録モードが選択されているときの、複数ファイルのオブジェクト化について、図１２および図１３を参照して説明する。
【０００８】
まず、図１２は、露出ブラケットにより３枚の画像が撮像されたときに作成されるファイルとオブジェクトとの関係を示す図である。
【０００９】
この図１２に示す例においては、露出ブラケット撮影が行われ、測光値に基づく適正露出の画像と、この適正露出よりも−１ＥＶだけ露出値を異ならせた画像と、適正露出よりも＋１ＥＶだけ露出値を異ならせた画像と、の３枚の画像が撮像されるものとする。
【００１０】
まず最初に、適正露出の画像が撮像されると、図１２（Ａ）に示すように、適正露出のＲＡＷデータを含む１つのＲＡＷファイルが保存され、次に、このＲＡＷデータに基づいて作成されたＪＰＥＧデータを含む１つのＪＰＧファイルが保存される。このときに作成されるＲＡＷファイルとＪＰＧファイルとは、拡張子を除いたファイル名部分が同一である。
【００１１】
次に、適正露出よりも−１ＥＶだけ露出値を異ならせた画像が撮像されると、図１２（Ｂ）に示すように、−１ＥＶのＲＡＷデータを含む１つのＲＡＷファイルが保存され、次に、このＲＡＷデータに基づいて作成されたＪＰＥＧデータを含む１つのＪＰＧファイルが保存される。このときに作成されるＲＡＷファイルとＪＰＧファイルとも、拡張子を除いたファイル名部分が同一である。
【００１２】
続いて、適正露出よりも＋１ＥＶだけ露出値を異ならせた画像が撮像されると、図１２（Ｃ）に示すように、＋１ＥＶのＲＡＷデータを含む１つのＲＡＷファイルが保存され、次に、このＲＡＷデータに基づいて作成されたＪＰＥＧデータを含む１つのＪＰＧファイルが保存される。このときに作成されるＲＡＷファイルとＪＰＧファイルとも、拡張子を除いたファイル名部分が同一である。
【００１３】
従って、このときには、全部で６つのファイルが作成されるが、拡張子を除いたファイル名は３種類である。そして、現在のＪＰＥＧ画像を扱う機器やソフトウェアは、拡張子を除いたファイル名が同一のファイル群を、同一のオブジェクトとして扱うようになっていることが多い。この観点からすると、図１２（Ａ）に示すＲＡＷファイルおよびＪＰＧファイルは第１のオブジェクトを構成し、同様に、図１２（Ｂ）に示すＲＡＷファイルおよびＪＰＧファイルは第２のオブジェクトを構成し、図１２（Ｃ）に示すＲＡＷファイルおよびＪＰＧファイルは第３のオブジェクトを構成する。
【００１４】
次に、図１３は、ホワイトバランス（ＷＢ）ブラケットにより３枚のＪＰＥＧデータが生成されたときに作成されるファイルとオブジェクトとの関係を示す図である。図１２を参照して説明したようなオブジェクト化は、ホワイトバランスブラケット撮影においても同様に行われる。ただし、露出ブラケットが、シャッタ速度や絞り値を変化させて複数枚の画像を撮像して行われるのに対して、このホワイトバランスブラケットは、撮像して得られた１つのＲＡＷデータに基づいて、パラメータを異ならせてデジタル画像処理することにより複数の画像データを得るものとなっている。
【００１５】
この図１３に示す例においては、ホワイトバランスブラケット撮影により、適正ホワイトバランスのＪＰＥＧデータと、この適正ホワイトバランスよりも青側に色補正したＪＰＥＧデータと、適正ホワイトバランスよりもアンバー側に色補正したＪＰＥＧデータと、の３枚のＪＰＥＧデータが作成されるものとする。
【００１６】
このときには、図１３（Ａ）に示すように、第１のオブジェクトとして、ＲＡＷデータを含む１つのＲＡＷファイルが保存され、次に、このＲＡＷデータに基づいて作成された適正ホワイトバランスのＪＰＥＧデータを含む１つのＪＰＧファイルが保存される。このときに作成されるＲＡＷファイルとＪＰＧファイルとが、拡張子を除いたファイル名部分が同一であるのは上述と同様である。
【００１７】
次に、図１３（Ｂ）に示すように、図１３（Ａ）の左側に示したのと同一のＲＡＷファイルが第２のオブジェクトに含まれるファイル名として保存され、次に、適正ホワイトバランスよりも青側に色補正したＪＰＥＧデータを含む１つのＪＰＧファイルが拡張子を除いてＲＡＷファイルと同一のファイル名で保存される。
【００１８】
続いて、図１３（Ｃ）に示すように、図１３（Ａ）の左側に示したのと同一のＲＡＷファイルが第３のオブジェクトに含まれるファイル名として保存され、次に、適正ホワイトバランスよりもアンバー側に色補正したＪＰＥＧデータを含む１つのＪＰＧファイルが拡張子を除いてＲＡＷファイルと同一のファイル名で保存される。
【００１９】
このように、図１３に示す場合には、撮像して得られたＲＡＷデータが１つであるにも関わらず、オブジェクト化する必要性から、同一のＲＡＷデータが各オブジェクトに１つずつ含まれることになり、記録容量を無駄に消費する結果となっている。
【特許文献１】特開２００５−２５２７５４号公報
【発明の開示】
【発明が解決しようとする課題】
【００２０】
上記特開２００５−２５２７５４号公報に記載されたような複数の画像を格納するマルチ画像ファイルは、先頭の主画像が既存のＪＰＧファイルと互換性を保っているために、上述したように既存の画像処理装置やアプリケーションで表示したり、編集したり、保存したりすることが可能である。しかし、上述したような現行のＥｘｉｆ規格に基づく既存の画像処理装置やアプリケーションによって、該公報に記載されたようなマルチ画像ファイルを編集して保存したときには、主画像は保存されるものの、主画像以外の副画像が消去されたり損なわれてしまったりする可能性がある。
【００２１】
そこで、既存の画像処理装置やアプリケーションによってファイルを処理したことにより、副画像データが損なわれてしまったとしても、その損なわれてしまった副画像データを復元すること（すなわち、マルチ画像ファイルを復元すること）が可能である場合には、復元し得る技術があることが望ましい。
【００２２】
本発明は上記事情に鑑みてなされたものであり、マルチ画像ファイル内の副画像データが損なわれたとしても復元可能である場合には復元し得るように画像ファイルを作成することができる画像ファイル作成装置、画像ファイル作成方法を提供することを目的としている。
【００２３】
また、本発明は上記画像ファイル作成装置、画像ファイル作成方法によって作成されたマルチ画像ファイルを修復することができる画像ファイル修復装置を提供することを目的としている。
【課題を解決するための手段】
【００２４】
上記の目的を達成するために、本発明による画像ファイル作成装置は、１つのＲＡＷデータに基づいて生成された主画像データと、この主画像データと関連する１以上の副画像データと、を含むマルチ画像ファイルを作成し得る画像ファイル作成装置であって、上記１以上の副画像データを上記ＲＡＷデータから生成可能であるか否かを該副画像データが生成された条件である副画像生成条件に基づいて判別する画像データ判別部と、上記画像データ判別部により生成可能であると判別された場合に、上記１以上の副画像データと上記主画像データとを含む１つのマルチ画像ファイルを作成するとともに、該１つのマルチ画像ファイルに関連付けて上記ＲＡＷデータを含むＲＡＷファイルを作成する画像ファイル作成部と、を具備したものである。
【００２５】
また、本発明による画像ファイル作成方法は、１つのＲＡＷデータに基づいて生成された主画像データと、この主画像データと関連する１以上の副画像データと、を含むマルチ画像ファイルを作成するための画像ファイル作成方法であって、上記１以上の副画像データを上記ＲＡＷデータから生成可能であるか否かを該副画像データが生成された条件である副画像生成条件に基づいて判別し、生成可能であると判別した場合に、上記１以上の副画像データと上記主画像データとを含む１つのマルチ画像ファイルを作成し、上記１つのマルチ画像ファイルに関連付けて上記ＲＡＷデータを含むＲＡＷファイルを作成する方法である。
【００２６】
さらに、本発明による画像ファイル修復装置は、１つのＲＡＷデータに基づいて生成された主画像データとこの主画像データと関連する１以上の副画像データとを含むマルチ画像ファイルを作成し得る画像ファイル作成装置であって、上記１以上の副画像データを上記ＲＡＷデータから生成可能であるか否かを該副画像データが生成された条件である副画像生成条件に基づいて判別する画像データ判別部と、上記画像データ判別部により生成可能であると判別された場合に、上記１以上の副画像データと上記主画像データとを含む１つのマルチ画像ファイルを作成するとともに、該１つのマルチ画像ファイルに関連付けて上記ＲＡＷデータを含むＲＡＷファイルを作成し、このとき、上記ＲＡＷデータから上記１以上の副画像データを復元するために必要な情報を含むように上記マルチ画像ファイルを作成する画像ファイル作成部と、を備える画像ファイル作成装置、によって作成されたマルチ画像ファイルを、該画像ファイル作成装置によって該マルチ画像ファイルと関連付けて作成されたＲＡＷファイルに基づき修復するための画像データ修復装置であって、上記マルチ画像ファイルに含まれる副画像データの少なくとも一部が損なわれているか否かを判別する修復判別部と、上記修復判別部により副画像データの少なくとも一部が損なわれていると判別された場合に上記副画像データを復元するために必要な情報に基づいて上記マルチ画像ファイルと関連付けられた上記ＲＡＷファイルに含まれる上記ＲＡＷデータから上記損なわれた副画像データを生成する画像データ修復部と、上記画像データ修復部により生成された副画像データを用いて上記マルチ画像ファイルを再度作成する画像ファイル作成部と、を具備したものである。
【発明の効果】
【００２７】
本発明の画像ファイル作成装置、画像ファイル作成方法によれば、マルチ画像ファイル内の副画像データが損なわれたとしても復元可能である場合には復元し得るように画像ファイルを作成することができる。
【００２８】
また、本発明の画像ファイル修復装置によれば、上記画像ファイル作成装置、画像ファイル作成方法によって作成されたマルチ画像ファイルを修復することが可能となる。
【発明を実施するための最良の形態】
【００２９】
以下、図面を参照して本発明の実施の形態を説明する。
【００３０】
［実施形態１］
図１から図１１は本発明の実施形態１を示したものであり、図１は画像ファイル作成装置の構成を概念的に示すブロック図である。
【００３１】
図１に示すように、この画像ファイル作成装置１は、画像ファイル作成部２と、画像データ判別部３と、修復判別部４と、画像データ修復部５と、を備えている。
【００３２】
また、この画像ファイル作成装置１には記録媒体６が接続されている。より詳しくは、画像ファイル作成部２は記録媒体６に書き込み可能に接続され、修復判別部４は記録媒体６から読み込み可能に接続されている。
【００３３】
今、１つのＲＡＷ画像に基づいて作成された１つの主画像データと、１以上（図１に示す例ではＮ（Ｎは１以上の整数）個）の副画像データと、が存在しているものとする。
【００３４】
このとき、画像データ判別部３は、１以上の副画像データが、主画像データを作成する元となったＲＡＷデータに基づいて作成され得るか否かを判定するものである。画像データ判別部３は、後述する撮影モード等の副画像生成条件が、所定の画像処理におけるパラメータのみを異ならせてＲＡＷデータから１以上の副画像データを生成する条件であるときに、後で具体的に説明するように、１以上の副画像データをＲＡＷデータから生成可能であると判別するものとなっている。
【００３５】
画像ファイル作成部２は、画像データ判別部３により作成され得ると判定された場合には、ＲＡＷデータをＲＡＷファイルとして記録媒体６に記録するとともに、主画像データおよび副画像データをこのＲＡＷデータと同一のオブジェクトとなるように１つのファイル（上述したように、適宜、マルチ画像ファイルという）として記録媒体６に記録し、一方、画像データ判別部３により作成され得ないと判定された場合には、主画像データと１以上の副画像データとをそれぞれ個別のファイルとして（それぞれ異なるオブジェクトとして）記録媒体６に記録するものである。
【００３６】
修復判別部４は、記録媒体６に記録されているマルチ画像ファイルを読み込んで、ファイル内に含まれている副画像データに損傷があるか否かと、損傷がある場合にはどの副画像データに損傷があるかと、を判別するものである。この修復判別部４は、損傷があると判別した場合には、さらに損傷があると判別したマルチ画像ファイルと同一のオブジェクトであるＲＡＷファイルも読み込む。そして、修復判別部４は、判別結果と、読み込んだマルチ画像ファイルと、読み込んだＲＡＷファイルとを、画像データ修復部５へ転送するようになっている。
【００３７】
画像データ修復部５は、修復判別部４により損傷があると判別された場合に、転送されてきたＲＡＷファイルに基づいて損傷した画像データを復元し、復元した画像データを画像ファイル作成部２へ転送する。また、画像データ修復部５は、損傷していない画像データについてはマルチ画像ファイルから抽出して画像ファイル作成部２へ転送する。
【００３８】
画像ファイル作成部２は、マルチ画像ファイルを修復するのに必要な画像データがそろったところで、マルチ画像ファイルを再び作成して記録媒体６に記録するようになっている。
【００３９】
次に、図２は、デジタルカメラに適用された画像ファイル作成装置の構成例を示すブロック図である。
【００４０】
このデジタルカメラに適用された画像ファイル作成装置は、撮像部１１と、Ａ／Ｄ変換部１２と、バス１３と、ＲＡＭ１４と、画像処理回路１５と、画像表示部１６と、上述した記録媒体６が接続されているインタフェース（Ｉ／Ｆ）１７と、操作部１８と、マイクロコンピュータ１９と、を備えている。
【００４１】
撮像部１１は、被写体の光学像を結像するレンズや絞りなどを含む撮像光学系と、この撮像光学系により結像された光学像を光電変換してアナログの電気的な画像信号を生成し出力する撮像素子と、を備えて構成されている。
【００４２】
Ａ／Ｄ変換部１２は、撮像部１１から得られたアナログの画像信号をデジタルの画像データに変換するものである。
【００４３】
このＡ／Ｄ変換部１２により変換されたデジタル画像は、バス１３を介してＲＡＭ１４に格納されるようになっている。ここに、バス１３は、各部がデータを送受する際に用いるものであり、Ａ／Ｄ変換部１２、ＲＡＭ１４、画像処理回路１５、画像表示部１６、Ｉ／Ｆ１７、操作部１８、マイクロコンピュータ１９が接続されている。
【００４４】
ＲＡＭ１４は、例えばＤＲＡＭ等の比較的高速にアクセス可能な記憶部として構成されたものであり、Ａ／Ｄ変換部１２からの画像、画像処理回路１５により処理された画像、記録媒体６からＩ／Ｆ１７を介して読み出された画像などを記憶するためのバッファとして用いられるだけでなく、マイクロコンピュータ１９による作業領域としても用いられるようになっている。
【００４５】
画像処理回路１５は、ＲＡＭ１４に記憶されたデジタル画像（ＲＡＷデータ）に符号化処理（ＪＰＥＧ圧縮等）を含む各種の画像処理を施して、記録用の画像データ（本実施形態においてはＪＰＥＧデータを想定している）を生成し、再びＲＡＭ１４に書き戻すものであり、画像データ修復部５を兼ねたものとなっている。また、画像処理回路１５は、記録媒体６から読み出された圧縮画像データを復号化してＲＡＭ１４に書き込む処理も行う。さらに、画像処理回路１５は、表示用の画像データも必要に応じて生成して、ＲＡＭ１４に書き込むようになっている。
【００４６】
この画像処理回路１５により生成された記録用の画像データには、マイクロコンピュータ１９によりヘッダ等が付加されて画像ファイルが生成されるようになっている。
【００４７】
記録媒体６は、生成された画像ファイルを不揮発に記録するものであり、例えばフラッシュメモリ等により構成されている。
【００４８】
Ｉ／Ｆ１７は、マイクロコンピュータ１９の制御に基づいて、この記録媒体６へのデータの書き込み、および記録媒体６からのデータの読み込みを行うものである。
【００４９】
画像表示部１６は、ＲＡＭ１４に記憶されている表示用の画像データにより画像を表示するものであり、例えばＬＣＤ等の表示デバイスを含んで構成されている。
【００５０】
操作部１８は、このデジタルカメラに適用された画像ファイル作成装置に対してユーザが各種の操作入力を行うためのものである。この操作部１８により可能な操作としては、例えば電源のオン／オフ操作、画像の撮影開始を指示するためのレリーズ操作、画像の再生を指示するための再生操作、露出ブラケット撮影モード、ホワイトバランス（ＷＢ）ブラケット撮影モードなどの撮影モードを選択するためのモード選択操作、画像を選択するための画像選択操作、マルチ画像ファイルをＲＡＷファイルに基づき後述するように修復するための修復モードの設定操作、などが例として挙げられる。
【００５１】
マイクロコンピュータ１９は、このデジタルカメラに適用された画像ファイル作成装置内の各部を統合的に制御する制御部である。このマイクロコンピュータ１９は、さらに、主画像データを生成する元となったＲＡＷデータから副画像データを生成可能であるか否かを、撮影モード等の副画像生成条件に基づいて判別する画像データ判別部３を兼ねたものとなっている。加えて、マイクロコンピュータ１９は、主画像データを生成する元となったＲＡＷデータから副画像データを生成可能であると判別した場合に、副画像生成条件に基づいて画像処理回路１５にＲＡＷデータから副画像データを生成させ、生成された副画像データと主画像データとを含む１つのマルチ画像ファイル（ここに本実施形態においては、拡張子が「JPG」であることを想定している）を作成するとともに、このマルチ画像ファイルに関連付けてＲＡＷデータを含むＲＡＷファイルを作成する画像ファイル作成部２を兼ねたものとなっている。そして、マイクロコンピュータ１９は、上述した修復判別部４も兼ねたものとなっている。
【００５２】
次に、図３は、デジタルカメラに適用された画像ファイル作成装置において設定可能な撮影モードおよび画質モードを示す図表である。
【００５３】
この画像ファイル作成装置においては、上述したように、撮影モードとして、露出ブラケット撮影モードと、ＷＢブラケット撮影モードと、を選択することができるように構成されている。ここに、露出ブラケット撮影モードとＷＢブラケット撮影モードとは、何れか一方のみを選択することも可能であるし、両方を同時に選択することも可能である。
【００５４】
また、画質モードとしては、ＪＰＧファイルのみを保存するＪＰＥＧモード、ＲＡＷファイルとＪＰＧファイルとの両方を保存するＲＡＷ＋ＪＰＥＧモード、ＪＰＧファイルのみを保存するか、またはＲＡＷファイルとＪＰＧファイルとの両方を保存するかを自動的に選択するＡＵＴＯモード、を択一的に選択することができるように構成されている。
【００５５】
図４は、図３に示した画質モードと撮影モードとの組み合わせにおいて、どのような形式のファイルが保存されるかを示す図表である。
【００５６】
まず、画質モードがＪＰＥＧモードに設定されているときには、撮影モードが露出ブラケット撮影モードに設定されているかＷＢブラケット撮影モードに設定されているかに関わらず、露出ブラケットまたはＷＢブラケットにより得られた複数のＪＰＥＧデータが、それぞれ個別のＪＰＧファイルとして保存されるようになっている。
【００５７】
また、画質モードがＲＡＷ＋ＪＰＥＧモードに設定され、かつ撮影モードが露出ブラケット撮影モードに設定されているときには、まずＲＡＷデータがＲＡＷファイルとして保存されると共に、露出ブラケットにより撮影された露出の異なる各ＲＡＷデータ毎にＪＰＥＧデータがそれぞれ生成され、これらのＪＰＥＧデータがそれぞれ個別のＪＰＧファイルとして保存されるようになっている。
【００５８】
一方、画質モードがＲＡＷ＋ＪＰＥＧモードに設定され、かつ撮影モードがＷＢブラケット撮影モードに設定されているときには、まずＲＡＷデータがＲＡＷファイルとして保存されると共に、撮影して得られた１つのＲＡＷデータから、ＷＢブラケットによりホワイトバランスの異なる複数のＪＰＥＧデータが生成され、これら複数のＪＰＥＧデータが１つのマルチ画像ファイルとしてまとめられて保存されるようになっている。
【００５９】
次に、画質モードがＡＵＴＯモードに設定され、かつ撮影モードが露出ブラケット撮影モードに設定されているときには、画質モードがＪＰＥＧモードに設定されているときと同様に、露出ブラケットにより撮影された露出の異なる各ＲＡＷデータ毎にＪＰＥＧデータがそれぞれ生成され、これらのＪＰＥＧデータがそれぞれ個別のＪＰＧファイルとして保存されるようになっている。
【００６０】
そして、画質モードがＡＵＴＯモードに設定され、かつ撮影モードがＷＢブラケット撮影モードに設定されているときには、画質モードがＲＡＷ＋ＪＰＥＧモードに設定されているときと同様に、まずＲＡＷデータがＲＡＷファイルとして保存されると共に、撮影して得られた１つのＲＡＷデータから、ＷＢブラケットによりホワイトバランスの異なる複数のＪＰＥＧデータが生成され、これら複数のＪＰＥＧデータが１つのマルチ画像ファイルとしてまとめられて保存されるようになっている。
【００６１】
なお、撮影モードとして、露出ブラケット撮影モードとＷＢブラケット撮影モードとの両方が同時に設定されているときにどのような形式のファイルが保存されるかについては、後で図８を参照して説明する。
【００６２】
次に、図５は、マルチ画像ファイルのヘッダに記録されるヘッダ情報の要部を示す図である。
【００６３】
マルチ画像ファイルのヘッダには、ＲＡＷデータから１以上の副画像データを復元するために必要な情報が記録されるようになっている。
【００６４】
この情報としては、マルチ画像タグ、副画像枚数、第１〜第ｎ（ｎは１以上の整数であり、副画像枚数と一致する）の副画像に係る画像処理条件情報が含まれている。
【００６５】
ここに、マルチ画像タグは、この画像ファイルが（サムネイル画像を除いて）１つの画像データ（ＪＰＥＧデータ）のみを含むＪＰＧファイルではなく、内部に複数のＪＰＥＧデータを格納しているマルチ画像ファイルである旨を表すタグである。上述したように、本実施形態においては、マルチ画像ファイルの拡張子が通常のＪＰＧファイルと同様の「JPG」であることを想定していて、ファイル名のみからは通常のＪＰＧファイルであるか、またはマルチ画像ファイルであるかを判別することができないために、このようなタグを設けたものである。
【００６６】
次に、副画像枚数（上述した「ｎ」）は、マルチ画像ファイル内に、（サムネイル画像を除いて）何枚の副画像データが格納されているかを示す情報である。従って、マルチ画像ファイルに含まれる主画像を含む全画像枚数は、（ｎ＋１）枚となる。
【００６７】
第１の画像処理条件情報は、第１の副画像データが、主画像データを生成する元となったＲＡＷデータから、どのような画像処理条件に基づいて生成されたものであるかを示す情報である。以下、第２〜第ｎの画像処理条件情報についても同様である。
【００６８】
続いて、図６は、ＲＡＷ＋ＪＰＥＧモードが設定されていて露出ブラケットにより３枚の画像が撮像されたときに作成されるファイルとオブジェクトとの関係を示す図である。
【００６９】
この図６に示す例においても、図１２に関して説明した例と同様に、露出ブラケット撮影が行われ、測光値に基づく適正露出の画像と、この適正露出よりも−１ＥＶだけ露出値を異ならせた画像と、適正露出よりも＋１ＥＶだけ露出値を異ならせた画像と、の３枚の画像が撮像されるものとする。
【００７０】
まず最初に、適正露出の画像が撮像されると、図６（Ａ）に示すように、適正露出のＲＡＷデータを含む１つのＲＡＷファイルが保存され、次に、このＲＡＷデータに基づいて作成されたＪＰＥＧデータを含む１つのＪＰＧファイルが保存される。このときに作成されるＲＡＷファイルとＪＰＧファイルとは、拡張子を除いたファイル名部分が同一である。
【００７１】
次に、適正露出よりも−１ＥＶだけ露出値を異ならせた画像が撮像されると、図６（Ｂ）に示すように、−１ＥＶのＲＡＷデータを含む１つのＲＡＷファイルが保存され、次に、このＲＡＷデータに基づいて作成されたＪＰＥＧデータを含む１つのＪＰＧファイルが保存される。このときに作成されるＲＡＷファイルとＪＰＧファイルとも、拡張子を除いたファイル名部分が同一である。
【００７２】
続いて、適正露出よりも＋１ＥＶだけ露出値を異ならせた画像が撮像されると、図６（Ｃ）に示すように、＋１ＥＶのＲＡＷデータを含む１つのＲＡＷファイルが保存され、次に、このＲＡＷデータに基づいて作成されたＪＰＥＧデータを含む１つのＪＰＧファイルが保存される。このときに作成されるＲＡＷファイルとＪＰＧファイルとも、拡張子を除いたファイル名部分が同一である。
【００７３】
従って、このときには、全部で６つのファイルが作成されるが、拡張子を除いたファイル名は３種類である。そして、図６（Ａ）に示すＲＡＷファイルおよびＪＰＧファイルは第１のオブジェクトを構成し、図６（Ｂ）に示すＲＡＷファイルおよびＪＰＧファイルは第２のオブジェクトを構成し、図６（Ｃ）に示すＲＡＷファイルおよびＪＰＧファイルは第３のオブジェクトを構成している。
【００７４】
次に、図７は、ＲＡＷ＋ＪＰＥＧモードまたはＡＵＴＯモードが設定されていてホワイトバランスブラケットにより３枚の画像データが生成されたときに作成されるファイルとオブジェクトとの関係を示す図である。
【００７５】
このＷＢブラケットが、撮像して得られた１つのＲＡＷデータに基づいて、パラメータを異ならせてデジタル画像処理することにより複数の画像データを得るものとなっていることは、図１３を参照して上述したのと同様である。すなわち、この図７に示す例においては、ＷＢブラケット撮影により、適正ホワイトバランスのＪＰＥＧデータと、この適正ホワイトバランスよりも青側に色補正したＪＰＥＧデータと、適正ホワイトバランスよりもアンバー側に色補正したＪＰＥＧデータと、の３枚のＪＰＥＧデータが１つのＲＡＷデータから作成されるものとする。
【００７６】
このときには、図７に示すように、ＲＡＷデータを含む１つのＲＡＷファイルが保存され、次に、このＲＡＷデータに基づいて各作成された、適正ホワイトバランスのＪＰＥＧデータと、青側に色補正したＪＰＥＧデータと、アンバー側に色補正したＪＰＥＧデータと、を含む１つのマルチ画像ファイルが保存される。このときに作成されるＲＡＷファイルとマルチ画像ファイルとは、拡張子を除いたファイル名部分が同一となる。従って、ＲＡＷファイルとマルチ画像ファイルとは１つのオブジェクトを構成し、この図７に示す例において生成されるオブジェクトは１つ、作成されるファイルは２つとなる。このようなオブジェクト構成を採用することにより、図１３を参照して説明した例とは異なり、保存されるＲＡＷデータが１つで済んで重複することがなくなるために、該図１３に示す場合のような記録容量の無駄な消費を回避することが可能となっている。
【００７７】
続いて、図８は、ＲＡＷ＋ＪＰＥＧモードまたはＡＵＴＯモードが設定されていて露出ブラケットとホワイトバランスブラケットとが同時に行われることにより３×３＝９枚のＪＰＥＧデータが生成されたときに作成されるファイルとオブジェクトとの関係を示す図である。
【００７８】
まず最初に、適正露出の画像が撮像されると、図８（Ａ）に示すように、適正露出のＲＡＷデータを含む１つのＲＡＷファイルが保存され、次に、このＲＡＷデータに基づいて各作成された、適正ホワイトバランスのＪＰＥＧデータと、青側に色補正したＪＰＥＧデータと、アンバー側に色補正したＪＰＥＧデータと、を含む１つのマルチ画像ファイルが保存される。このときに作成されるＲＡＷファイルとマルチ画像ファイルとは、拡張子を除いたファイル名部分が同一である。
【００７９】
次に、適正露出よりも−１ＥＶだけ露出値を異ならせた画像が撮像されると、図８（Ｂ）に示すように、−１ＥＶのＲＡＷデータを含む１つのＲＡＷファイルが保存され、次に、この−１ＥＶのＲＡＷデータに基づいて各作成された、適正ホワイトバランスのＪＰＥＧデータと、青側に色補正したＪＰＥＧデータと、アンバー側に色補正したＪＰＥＧデータと、を含む１つのマルチ画像ファイルが保存される。このときに作成されるＲＡＷファイルとマルチ画像ファイルとは、拡張子を除いたファイル名部分が同一である。
【００８０】
続いて、適正露出よりも＋１ＥＶだけ露出値を異ならせた画像が撮像されると、図８（Ｃ）に示すように、＋１ＥＶのＲＡＷデータを含む１つのＲＡＷファイルが保存され、次に、この＋１ＥＶのＲＡＷデータに基づいて各作成された、適正ホワイトバランスのＪＰＥＧデータと、青側に色補正したＪＰＥＧデータと、アンバー側に色補正したＪＰＥＧデータと、を含む１つのマルチ画像ファイルが保存される。このときに作成されるＲＡＷファイルとマルチ画像ファイルとは、拡張子を除いたファイル名部分が同一である。
【００８１】
従ってこのときには、全部で６つのファイルが作成され、拡張子を除いたファイル名は３種類である。そして、図８（Ａ）に示すＲＡＷファイルおよびマルチ画像ファイルは第１のオブジェクトを構成し、図８（Ｂ）に示すＲＡＷファイルおよびマルチ画像ファイルは第２のオブジェクトを構成し、図８（Ｃ）に示すＲＡＷファイルおよびマルチ画像ファイルは第３のオブジェクトを構成している。
【００８２】
この図８に示す例においても、同一のＲＡＷデータが重複して記録されることはなく、記録容量の無駄な消費を回避することが可能となっている。
【００８３】
次に、図９はデジタルカメラに適用された画像ファイル作成装置による撮影時の作用の一部を示すフローチャート、図１０はデジタルカメラに適用された画像ファイル作成装置による撮影時の作用の他の一部を示すフローチャートである。これら図９および図１０は、元来は１つの図面として記載したいところであるが、紙面の都合上、２つの図面に分割して記載したものである。
【００８４】
デジタルカメラに適用された画像ファイル作成装置の電源がオンされ、操作部１８によりレリーズ操作が行われたときに、この撮影処理が行われるようになっている。
【００８５】
この処理を開始すると、まず、撮影モードのチェックを行う（ステップＳ１） 。この撮影モードのチェックにおいては、露出ブラケット撮影モードとＷＢブラケット撮影モードとの何れか一方または両方が設定されているか否かをチェックする。
【００８６】
次に、被写体の測光を行い（ステップＳ２）、この測光結果に基づいて撮像部１１の絞りや露光時間を設定する露光制御を行う（ステップＳ３）。そして、設定された露光条件に基づいて撮像部１１により被写体の光学像を光電変換して撮像処理を行い（ステップＳ４）、得られた画像信号をＡ／Ｄ変換部１２によりデジタルの画像データに変換してからＲＡＭ１４に格納する（ステップＳ５）。
【００８７】
続いて、露出ブラケットが終了したか否かを判定する（ステップＳ６）。ここで、露出ブラケット撮影モードが設定されていて、かつ設定された撮影枚数の画像の取得がまだ終了していないと判定された場合には、モード設定に応じて露出条件の変更を行い（ステップＳ７）、その後に上述したステップＳ３へ戻って変更された露出条件に基づき次の画像の撮像を行う。
【００８８】
また、ステップＳ６において、露出ブラケット撮影モードが設定されていない場合、または露出ブラケット撮影モードが設定されていてかつ設定された撮影枚数の画像の取得が終了した場合には、露出ブラケットが終了したと判定されて、次に画像処理回路１５によりホワイトバランス補正処理が行われる（ステップＳ８）。このステップＳ８のホワイトバランス補正処理が一連の撮影における最初に行われる場合には、まずホワイトバランスが適正となるようにホワイトバランスゲインが設定される。
【００８９】
次に、例えば撮像部１１が単板撮像素子を含んで構成されたものである場合には、同時化処理を行うことにより、１画素に付き３つの色成分が揃った画像データを生成する（ステップＳ９）。
【００９０】
そして、色変換処理を行うことにより、パラメータを設定して彩度を強調したり、あるいは色空間（具体例を挙げれば、ｓＲＧＢ色空間、あるいはAdobeＲＧＢ色空間など）の変換（この色空間の変換も、一種のパラメータの設定に基づく画像処理である）を行ったりする（ステップＳ１０）。
【００９１】
続いて、パラメータを設定して階調変換処理を行うことにより、出力機器等に応じた階調特性の画像データを生成する（ステップＳ１１）。
【００９２】
さらに、パラメータを設定してＪＰＥＧ圧縮処理を行うことによりＪＰＥＧデータを生成し（ステップＳ１２）、生成したＪＰＥＧデータをＲＡＭ１４に再び格納する（ステップＳ１３）。
【００９３】
続いて、ホワイトバランスブラケットが終了したか否かを判定する（ステップＳ１４）。ここで、ＷＢブラケット撮影モードが設定されていて、かつ設定された枚数のＪＰＥＧデータの生成がまだ終了していないと判定された場合には、モード設定に応じてＷＢゲインの変更を行い（ステップＳ１５）、その後に上述したステップＳ８へ戻って変更されたＷＢゲインに基づき次のＪＰＥＧデータの生成を行う。
【００９４】
また、ステップＳ１４において、ＷＢブラケット撮影モードが設定されていない場合、またはＷＢブラケット撮影モードが設定されていてかつ設定された枚数のＪＰＥＧデータの生成が終了した場合には、ＷＢブラケットが終了したと判定されて、図１０に示すような次の処理に進む。
【００９５】
すなわち、図１０に示すように、マイクロコンピュータ１９は、画質モードがＪＰＥＧモードであるか否かを判定する（ステップＳ１６）。
【００９６】
ここでＪＰＥＧモードであると判定した場合には、マイクロコンピュータ１９は、ＪＰＥＧデータに対応するファイルヘッダ（ＪＰＥＧヘッダ）を作成して（ステップＳ１７）、ＪＰＥＧデータとファイルヘッダとからＪＰＧファイルを作成し（ステップＳ１８）、作成したＪＰＧファイルをＩ／Ｆ１７を介して記録媒体６に記録する（ステップＳ１９）。
【００９７】
その後、全てのＪＰＥＧデータについての処理が終了したか否かを判定して（ステップＳ２０）、まだ終了していないと判定した場合にはステップＳ１７へ戻って次のＪＰＥＧデータについて上述したような処理を行い、一方、終了したと判定した場合には、この処理を終了する。従って、この場合には（つまり、ＪＰＥＧモードが設定されている場合には、露出ブラケット撮影モード、ＷＢブラケット撮影モードが設定されているか否かに関わらず）、図４にも示したように、全てのＪＰＥＧデータがそれぞれ個別のＪＰＧファイルとして記録される。
【００９８】
また、ステップＳ１６において、画質モードがＪＰＥＧモードでないと判定された場合には、１つのＲＡＷデータから複数のＪＰＥＧデータが生成されたか否かを判定する（ステップＳ２１）。図３や図４に示した例では、ＷＢブラケット撮影モードが設定されているときに（つまり、露出ブラケットが同時に設定されているか否かに関わらず）、１つのＲＡＷデータから複数のＪＰＥＧデータが生成されたと判定し、設定されていないときには生成されていないと判定することになる。
【００９９】
ここで、１つのＲＡＷデータから複数のＪＰＥＧデータが生成されたものではないと判定した場合には、さらに、画質モードがＡＵＴＯモードであるか否かを判定する（ステップＳ２２）。そして、画質モードがＡＵＴＯモードであると判定された場合には、ステップＳ１７へ行ってＪＰＥＧモードと同様の処理を行う。このケースは、ＡＵＴＯモードに設定されていて、かつ１つのＲＡＷデータから１つのＪＰＥＧデータが生成されるケース（つまり、図４に示した内の露出ブラケット撮影モードが設定されているケース）が該当する。
【０１００】
一方、ステップＳ２２において、ＡＵＴＯモードでないと判定された場合には、マイクロコンピュータ１９は、ＲＡＷデータを含むＲＡＷファイルを作成して（ステップＳ２３）、作成したＲＡＷファイルを記録媒体６に記録する（ステップＳ２４）。さらに、マイクロコンピュータ１９は、ファイルヘッダを作成し（ステップＳ２５）、画像ファイル名をＲＡＷファイルに従って（つまり拡張子を除いてＲＡＷファイルと同一となるように）設定してＪＰＧファイルを作成し（ステップＳ２６）、作成したＪＰＧファイルを記録媒体６に記録する（ステップＳ２７）。
【０１０１】
そして、全てのＲＡＷデータおよびＪＰＥＧデータについての処理が終了したか否かを判定して（ステップＳ２８）、まだ終了していないと判定した場合にはステップＳ２３へ戻って次のＲＡＷデータおよびＪＰＥＧデータについて上述したような処理を行い、一方、終了したと判定した場合には、この処理を終了する。このケースは、ＪＰＥＧモードでもＡＵＴＯモードでもなく、かつ１つのＲＡＷデータから１つのＪＰＥＧデータが生成されるケースであるために、図４に示した内の、ＲＡＷ＋ＪＰＥＧモードであって、かつ露出ブラケット撮影モードが設定されているケースが該当する。
【０１０２】
上述したステップＳ２１において、１つのＲＡＷデータから複数のＪＰＥＧデータが生成されたものであると判定された場合には、ＲＡＷデータを含むＲＡＷファイルを作成して（ステップＳ２９）、作成したＲＡＷファイルを記録媒体６に記録する（ステップＳ３０）。さらに、マイクロコンピュータ１９は、１つのＲＡＷデータから作成された複数のＪＰＥＧデータを１つにまとめて（ステップＳ３１）、マルチ画像ファイル用のファイルヘッダを作成し（ステップＳ３２）、画像ファイル名を拡張子を除いてＲＡＷファイルと同一となるように設定してマルチ画像ファイルを作成し（ステップＳ３３）、作成したマルチ画像ファイルを記録媒体６に記録する（ステップＳ３４）。
【０１０３】
そして、全てのＲＡＷデータおよびＪＰＥＧデータについての処理が終了したか否かを判定して（ステップＳ３５）、まだ終了していないと判定した場合にはステップＳ２９へ戻って次のＲＡＷデータおよびＪＰＥＧデータについて上述したような処理を行い、一方、終了したと判定した場合には、この処理を終了する。このケースは、ＪＰＥＧモードではなく、かつ１つのＲＡＷデータから複数のＪＰＥＧデータが生成されるケースであるために、図４に示した内の、ＲＡＷ＋ＪＰＥＧモードまたはＡＵＴＯモードであって、かつＷＢブラケット撮影モードが設定されているケースが該当する。
【０１０４】
次に、図１１は、画像ファイル作成装置が修復モードに設定されているときの作用を示すフローチャートである。
【０１０５】
この処理を開始すると、操作部１８を介して選択された画像ファイルのヘッダ情報をチャックする（ステップＳ４１）。上述したように、本実施形態においては、マルチ画像ファイルに通常のＪＰＧファイルと同様の「JPG」の拡張子を付しているために、ファイル名のみからは何れであるかを判別することができない。しかし、図５を参照して説明したように、マルチ画像ファイルである場合にはファイルヘッダにマルチ画像タグが付されているために、ヘッダ情報をチェックすることにより、マルチ画像ファイルであるか否かを判別することが可能である。
【０１０６】
そして、マルチ画像ファイルである場合には、ヘッダに記載されている副画像枚数や、該ヘッダに記載されている各副画像へのポインタ（図示せず）に基づいて、各副画像データを実際にチェックする（ステップＳ４２）。なお、画像ファイルが通常のＪＰＧファイルである場合には、副画像データは含まれていないために、この処理をそのままパスする。
【０１０７】
そして、チェック結果に基づいて、副画像に欠損が生じているか否かを判定する（ステップＳ４３）。ここで、副画像に欠損が生じていないと判定された場合（通常のＪＰＧファイルの場合にも、当然にして副画像に欠損が生じていないと判定されることになる）には、そのままこの修復モードの処理を終了する。
【０１０８】
一方、ステップＳ４３において、副画像に欠損が生じていると判定された場合には、マルチ画像ファイルと同一のオブジェクトに属する（つまり、拡張子を除くファイル名が同一の）ＲＡＷファイルからＲＡＷデータを読み込んで（ステップＳ４４）、読み込んだＲＡＷデータをＲＡＭ１４に格納する（ステップＳ４５）。
【０１０９】
次に、ヘッダに記録されている画像処理条件情報（図５参照）に基づいて、画像処理を行い、ＪＰＥＧデータを生成する。
【０１１０】
すなわち、まず、画像処理回路１５によりホワイトバランス補正処理が行われる（ステップＳ４６）。
【０１１１】
次に、同時化処理を行うことにより、１画素に付き３つの色成分が揃った画像データを生成する（ステップＳ４７）。
【０１１２】
そして、色変換処理を行うことにより、パラメータを設定して彩度を強調したり、あるいは色空間の変換を行ったりする（ステップＳ４８）。
【０１１３】
続いて、パラメータを設定して階調変換処理を行うことにより、出力機器等に応じた階調特性の画像データを生成する（ステップＳ４９）。
【０１１４】
さらに、パラメータを設定してＪＰＥＧ圧縮処理を行うことによりＪＰＥＧデータを生成し（ステップＳ５０）、生成したＪＰＥＧデータをＲＡＭ１４に再び格納する（ステップＳ５１）。
【０１１５】
なお、ステップＳ４６〜Ｓ５１の処理は、欠損が確認された副画像データの全てについて行われる。また、欠損していない副画像データについては、再度生成する必要はなく、上述したように、元のマルチ画像ファイルから抽出すれば足りる。
【０１１６】
こうして、マルチ画像ファイルを復元するのに必要なＪＰＥＧデータが全て揃ったところで、これら複数のＪＰＥＧデータを１つにまとめて（ステップＳ５２）、マルチ画像ファイル用のファイルヘッダを修復し（必要に応じて再度作成し）（ステップＳ５３）、元と同一のファイル名のマルチ画像ファイルとして記録媒体６に記録し（ステップＳ５４）、この処理を終了する。
【０１１７】
なお、上述では、１つのＲＡＷデータから１つのＪＰＥＧデータが生成される撮影モードの例として露出ブラケット撮影モードを挙げ、１つのＲＡＷデータから複数のＪＰＥＧデータが生成される撮影モードの例としてＷＢブラケット撮影モードを挙げたが、これらに限るものではない。
【０１１８】
例えば、１つのＲＡＷデータから１つのＪＰＥＧデータが生成される撮影モードとしては、短い時間に複数の（例えば１秒間に数枚から数十枚程度の）画像を撮影する連写撮影モード、撮影方向をずらしながら複数枚の画像を撮影し後で合成して画角の広い１枚の画像を生成するためのパノラマ撮影モード、被写体を中心にしてカメラの設置場所を異ならせながら複数枚の撮影を行い画像を立体的に観察し得るようにするための複数視点撮影モード、などが挙げられる。
【０１１９】
一方、１つのＲＡＷデータから複数のＪＰＥＧデータが生成される撮影モードにおいては、画像処理におけるパラメータを異ならせて複数の画像を生成すれば良く、このときのパラメータとしては次のものが挙げられる。例えば、画像のシャープネスをパラメータに基づき変化させるもの、画像のコントラストをパラメータに基づき変化させるもの、彩度の強調度合いをパラメータに基づき変化させるもの、階調変換曲線をパラメータに基づき変化させて階調変換を行うもの、パラメータに基づき色空間（上述したようなｓＲＧＢ色空間、AdobeＲＧＢ色空間など）の選択を行うもの、などである。そして、画像データ判別部３は、撮影モード等の副画像生成条件が、所定の画像処理におけるパラメータのみを異ならせてＲＡＷデータから１以上の副画像データを生成する条件であるときに、１以上の副画像データを主画像データを作成する元となったＲＡＷデータから生成可能であると判別するものとなっている。
【０１２０】
また、上述では、副画像データが損傷を受けた場合に、ＲＡＷデータから復元する例について説明したが、主画像データもＲＡＷデータから生成されたものであるために、万が一、主画像が損傷を受けた場合にも、該ＲＡＷデータから復元することが可能である。
【０１２１】
さらに、上述では、マルチ画像ファイルに通常のＪＰＧファイルと同様の「JPG」の拡張子を付す例について説明したが、これに限るものでないことはもちろんである。
【０１２２】
なお、上述では主として画像ファイル作成装置についてを主として説明したが、同様の作用を行う画像ファイル作成方法であってももちろん構わないし、同様の処理をコンピュータに行わせるための画像ファイル作成プログラムであっても良い。
【０１２３】
このような実施形態１によれば、複数の画像データを１つのマルチ画像ファイルとして記録する際には、必ずＲＡＷデータを含むＲＡＷファイルを記録して、マルチ画像ファイル内の副画像が損傷したときに修復することができるようにしたために、マルチ画像ファイルに対応していない既存の装置やソフトウェア等によりマルチ画像ファイル内の副画像データが損なわれたとしても、副画像データひいてはマルチ画像ファイルを復元することが可能となる。
【０１２４】
そして、副画像データを復元するために必要な情報をマルチ画像ファイルのヘッダに含めるようにしたために、復元用の情報を含む別ファイル等を作成する必要がなくなり、ファイル数を少なくすることが可能になるとともに、ヘッダ情報を読み込んで各種の処理を行う既存の装置やソフトウェア等との親和性も高まる。
【０１２５】
そして、画像ファイル作成装置１自体に修復判別部４と画像データ修復部５とを設けたために、実際の修復をこの画像ファイル作成装置１で行うことが可能となる。ただし、修復判別部４および画像データ修復部５は、画像ファイル作成装置１とは別途の装置（マルチ画像ファイルを修復するための画像ファイル修復装置等）に設ける構成であっても構わない。この場合には、画像ファイル修復装置も、画像ファイル作成部を備えることになる。そして、この画像ファイル修復装置によれば、画像ファイル作成装置、画像ファイル作成方法、あるいは画像ファイル作成プログラムを実行するコンピュータの何れにより作成されたマルチ画像ファイルであっても、修復することが可能である。
【０１２６】
なお、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【図面の簡単な説明】
【０１２７】
【図１】本発明の実施形態１における画像ファイル作成装置の構成を概念的に示すブロック図。
【図２】上記実施形態１において、デジタルカメラに適用された画像ファイル作成装置の構成例を示すブロック図。
【図３】上記実施形態１において、デジタルカメラに適用された画像ファイル作成装置において設定可能な撮影モードおよび画質モードを示す図表。
【図４】上記実施形態１において、図３に示した画質モードと撮影モードとの組み合わせにおいてどのような形式のファイルが保存されるかを示す図表。
【図５】上記実施形態１において、マルチ画像ファイルのヘッダに記録されるヘッダ情報の要部を示す図。
【図６】上記実施形態１において、ＲＡＷ＋ＪＰＥＧモードが設定されていて露出ブラケットにより３枚の画像が撮像されたときに作成されるファイルとオブジェクトとの関係を示す図。
【図７】上記実施形態１において、ＲＡＷ＋ＪＰＥＧモードまたはＡＵＴＯモードが設定されていてホワイトバランスブラケットにより３枚の画像データが生成されたときに作成されるファイルとオブジェクトとの関係を示す図。
【図８】上記実施形態１において、ＲＡＷ＋ＪＰＥＧモードまたはＡＵＴＯモードが設定されていて露出ブラケットとホワイトバランスブラケットとが同時に行われることにより３×３＝９枚のＪＰＥＧデータが生成されたときに作成されるファイルとオブジェクトとの関係を示す図。
【図９】上記実施形態１において、デジタルカメラに適用された画像ファイル作成装置による撮影時の作用の一部を示すフローチャート。
【図１０】上記実施形態１において、デジタルカメラに適用された画像ファイル作成装置による撮影時の作用の他の一部を示すフローチャート。
【図１１】上記実施形態１において、画像ファイル作成装置が修復モードに設定されているときの作用を示すフローチャート。
【図１２】従来において、露出ブラケットにより３枚の画像が撮像されたときに作成されるファイルとオブジェクトとの関係を示す図。
【図１３】従来において、ホワイトバランスブラケットにより３枚のＪＰＥＧデータが生成されたときに作成されるファイルとオブジェクトとの関係を示す図。
【符号の説明】
【０１２８】
１…画像ファイル作成装置
２…画像ファイル作成部
３…画像データ判別部
４…修復判別部
５…画像データ修復部
６…記録媒体
１１…撮像部
１２…Ａ／Ｄ変換部
１３…バス
１４…ＲＡＭ
１５…画像処理回路（画像データ修復部）
１６…画像表示部
１７…Ｉ／Ｆ
１８…操作部
１９…マイクロコンピュータ（画像データ判別部、画像ファイル作成部、修復判別部）
【図１】
2009164768.tif 000003
【図２】
2009164768.tif 000004
【図３】
2009164768.tif 000005
【図４】
2009164768.tif 000006
【図５】
2009164768.tif 000007
【図６】
2009164768.tif 000008
【図７】
2009164768.tif 000009
【図８】
2009164768.tif 000010
【図９】
2009164768.tif 000011
【図１０】
2009164768.tif 000012
【図１１】
2009164768.tif 000013
【図１２】
2009164768.tif 000014
【図１３】
2009164768.tif 000015